(57)【要約】【課題】余長不足となった既設電力ケーブルの使用が可能になるとともに、その既設電力ケーブル端末部と更新配電機器に取り付けられるＴ型端末部との相対位置関係や使用形態の自由度を高めることを可能としたＴ型端末延長アダプタを提供する。【解決手段】Ｔ型端末延長アダプタ１は、配電機器に対して電力ケーブル１０１の延長方向と直角な方向に取り付けるＴ型端末部５に接続するＴ型端末接続部２、及び電力ケーブル１０１の電力ケーブル端末部６に接続する電力ケーブル接続部４を有する直線接続延長アダプタからなる。直線接続延長アダプタは、本体部分を備え、本体部分は、可撓性を有する可撓電力ケーブル３により構成されている。その可撓電力ケーブル３は、ケーブルの取り回しができる寸法及び余長を確保した状態でＴ型端末接続部２と電力ケーブル接続部４との間に成形される。【選択図】図１
2015019490.tif 000002
【特許請求の範囲】
【請求項１】
配電機器に対して電力ケーブルの延長方向と直角な方向に取り付けるＴ型端末部に接続するＴ型端末接続部、及び前記電力ケーブルの電力ケーブル端末部に接続する電力ケーブル接続部を有する直線接続延長アダプタからなり、
前記直線接続延長アダプタは、本体部分を備え、
前記本体部分は、可撓性を有する可撓電力ケーブルにより構成され、その可撓電力ケーブルがケーブルの取り回しができる寸法及び余長を確保した状態で前記Ｔ型端末接続部と前記電力ケーブル接続部との間に成形されたことを特徴とするＴ型端末延長アダプタ。
【請求項２】
前記可撓電力ケーブルは、細径素線を複数本撚り合わせた撚線からなる可撓導体と、内部半導電層と、弾性材料からなる柔軟な絶縁層と、外部半導電層と、保護層とを順次設けたことを特徴とする請求項１記載のＴ型端末延長アダプタ。
【請求項３】
前記可撓電力ケーブルは、予め湾曲形状に屈曲して成形されてなることを特徴とする請求項１又は２に記載のＴ型端末延長アダプタ。
【請求項４】
前記電力ケーブル接続部と前記電力ケーブル端末部との外周には、常温収縮性を有する絶縁筒が形成されてなることを特徴とする請求項１〜３のいずれか１項に記載のＴ型端末延長アダプタ。
【請求項５】
前記電力ケーブル接続部は、前記電力ケーブル端末部の導体とワンタッチで接続する構造であることを特徴とする請求項１〜４のいずれか１項に記載のＴ型端末延長アダプタ。
【発明の詳細な説明】
【技術分野】
【０００１】
本発明は、地中配電線路を構成する配電機器と電力ケーブルとを接続するためのＴ型端末延長アダプタに関するものである。
【背景技術】
【０００２】
従来より発電所や変電所などから家庭や工場などへ電力を供給する方法としては、地中に直接埋設又はマンホールや管路などで間接埋設された電力ケーブルを用いて配電機器と接続し、配電線路を構築した地中配電線路がある。図２に示すように、この種の地中配電線路の既設配電機器１０２には、既設電力ケーブル１０１を取り付ける直線型端末１０３が設置されており、この直線型端末１０３を介して既設電力ケーブル１０１と既設配電機器１０２とが接続されている。
【０００３】
ところで、この地中配電線路は数十年という長期間の使用により、その線路を構成する各種機器やケーブルは計画的に更新される。そこで、既設配電機器１０２を新たな配電機器に交換する場合は、一般的に既設電力ケーブル１０１を再使用することになる。その再利用の仕方としては、既設電力ケーブル１０１を切断し、残余の既設電力ケーブル１０１を更新した新設配電機器（以下、更新配電機器という）に取り付ける作業を行うという再利用の仕方がある。しかしながら、更新配電機器の接続位置の変更などにより既設電力ケーブル１０１に余長不足が発生する場合があった。
【０００４】
そこで、既設電力ケーブル１０１の余長不足を解決する手段の一例としては、図３に示すように、切断後の残余の既設電力ケーブル１０１と更新配電機器１０７とに取り付けることができ、かつ切断した長さを補充できる長さを持つものであってケーブルの取り回し（ケーブルの作業性、ケーブルの取扱い性）に必要なケーブル余長を有する新規電力ケーブル１０４に引き換え、直線接続部１０５を介して更新配電機器１０７に取り付けるという手段がある。
【０００５】
この新規電力ケーブル１０４の引き換えには新規電力ケーブル１０４を更新配電機器１０７に接続するため、その更新配電機器１０７に電力ケーブルの延長方向と直角な方向に取り付ける構造のＴ型端末延長アダプタ１０６が用いられる（例えば、非特許文献１参照）。
【０００６】
この新規電力ケーブル１０４は、既設電力ケーブル１０１と略同一仕様の導体、絶縁体、内部半導電層及び外部半導電層を有している。新規電力ケーブル１０４及び既設電力ケーブル１０１は、更新配電機器１０７の下部に設置されたハンドホール１０８内に収容される。
【０００７】
更に、既設電力ケーブル１０１の余長不足を解決する手段の他の一例としては、切断後の残余の既設電力ケーブルと接続できるとともに、その既設電力ケーブルの切断長に対応した長さとなるように、外部が絶縁体からなり、内部が金属製の導体管又は導体筒などの導体からなる直線接続アダプタを一体に設けたＴ型端末延長アダプタ及び直線型端末延長アダプタが用いられる（例えば、非特許文献１、特許文献１参照）。
【先行技術文献】
【非特許文献】
【０００８】
【非特許文献１】電気学会研究会資料  誘電・絶縁材料、電線・ケーブル合同研究会  ＤＥＩ−０９−０４９、ＥＷＣ−０９−００２  ２００９年２月１９日
【特許文献】
【０００９】
【特許文献１】特開２００１−２３１１４７号公報
【発明の概要】
【発明が解決しようとする課題】
【００１０】
上記非特許文献１に記載された従来の構成例では、上述したように、更新配電機器１０７の下部にハンドホール１０８を設置していることを前提としており、既設電力ケーブル１０１と新規電力ケーブル１０４とを直線接続部１０５を介して取り付けることで既設電力ケーブル１０１の余長不足を解決する構成となっている。
【００１１】
そのため、既設電力ケーブル１０１が地中に埋められた場合や既設ケーブルサイズが大きい場合には、必要とするケーブル曲げ半径を確保するために大きなスペースや大きなハンドホールが必要となる。従って、狭小なスペースを有するハンドホール１０８内ではケーブルの取り回しが困難となり、既設電力ケーブル１０１の再使用が不可能となるので、実用的ではない。
【００１２】
また、上記非特許文献１に記載された従来のＴ型端末延長アダプタ、及び特許文献１に記載された従来の直線型端末延長アダプタの構成例では、導体が剛性の金属導体管又は金属導体筒からなる直線接続延長アダプタであることから可撓性がないため、ケーブルの取り回しが困難となり、ハンドホール内での適用が難しくなる。また、ケーブルの余長不足を解消したとしてもケーブル曲げ半径を確保するために大きなスペースや大きなハンドホールが必要となり、経済性や施工性の点で問題となる。
【００１３】
更に、複数本の既設電力ケーブル１０１の立ち上がり位置と、更新配電機器１０７に取り付けられる従来のＴ型端末延長アダプタや従来の直線型端末延長アダプタの設置位置との相対位置関係は、地中配電線路の布設条件が千差万別であり、使用形態が多数ある。このため、電力ケーブル本数分（通常９〜１５本）に適合する構造の異なる端末延長アダプタを多数用意することは、その種類数が多くなり、経済性に劣り、地中配電線路への採用が困難となる。
【００１４】
従って、本発明の目的は、余長不足となった既設電力ケーブルの使用が可能であるとともに、その既設電力ケーブル端末部と更新配電機器に取り付けられるＴ型端末部との相対位置関係や使用形態の自由度を高めることを可能としたＴ型端末延長アダプタを提供することにある。
【課題を解決するための手段】
【００１５】
本発明は、上記目的を達成するため、配電機器に対して電力ケーブルの延長方向と直角な方向に取り付けるＴ型端末部に接続するＴ型端末接続部、及び前記電力ケーブルの電力ケーブル端末部に接続する電力ケーブル接続部を有する直線接続延長アダプタからなり、前記直線接続延長アダプタは、本体部分を備え、前記本体部分は、可撓性を有する可撓電力ケーブルにより構成され、その可撓電力ケーブルがケーブルの取り回しができる寸法及び余長を確保した状態で前記Ｔ型端末接続部と前記電力ケーブル接続部との間に成形されたことを特徴とするＴ型端末延長アダプタを提供する。
【００１６】
前記可撓ケーブルとしては、細径素線を複数本撚り合わせた撚線からなる可撓導体と、内部半導電層と、弾性材料からなる柔軟な絶縁層と、外部半導電層と、保護層とを順次設けたものが好適である。
【００１７】
前記可撓ケーブルとしては、予め湾曲形状に屈曲して成形されていることが好適である
【００１８】
前記電力ケーブル接続部と前記電力ケーブル端末部との外周には、常温収縮性を有する絶縁筒が形成されていることが好適である。
【００１９】
前記電力ケーブル接続部としては、前記電力ケーブル端末部の導体とワンタッチで接続する構造であることが好適である。
【発明の効果】
【００２０】
本発明によれば、余長不足となった既設電力ケーブルの使用が可能になるとともに、その既設電力ケーブル端末部と更新配電機器に取り付けられるＴ型端末部との間を２つの接続部を持つ可撓電力ケーブルの直線接続延長アダプタからなるＴ型端末延長アダプタを、ケーブルの取り回しができる寸法及び余長を確保して設けることで、２つの端末部における相対位置関係や使用形態の自由度を十分に確保することができる。
【図面の簡単な説明】
【００２１】
【図１】本発明の好適な実施の形態であるＴ型端末延長アダプタを示す側面断面図である。
【図２】従来の機器内布設の一例を示す概略説明図である。
【図３】従来の機器内布設の他の一例を示す概略説明図である。
【発明を実施するための形態】
【００２２】
以下、本発明の好適な実施の形態を添付図面に基づいて具体的に説明する。
【００２３】
（Ｔ型端末延長アダプタの全体構成）
図１において、全体を示す符号１は、例えば高圧（６．６ｋＶ）架橋ポリエチレン絶縁ビニルシース電力ケーブル（ＣＶケーブル）と配電機器とを接続するのに好適である機器直結型のＴ型端末延長アダプタ（直線接続延長アダプタ）の一構成例である。このＴ型端末延長アダプタ１は、その本体部分が可撓電力ケーブル３で構成され、その可撓電力ケーブル３の両端部に２つの接続部（Ｔ型端末接続部２と電力ケーブル接続部４）を備えた直線接続延長アダプタ１である。
【００２４】
このＴ型端末接続部２は、配電機器に対して電力ケーブルの延長方向と直角な方向に取り付けるＴ型端末部（Ｔ型端末アダプタ）５に接続されて第１接続部８を構成し、一方の電力ケーブル接続部４は、電力ケーブル端末部６に接続されて第２接続部９を構成している。
【００２５】
Ｔ型端末接続部２は、可撓電力ケーブル３の可撓導体３ａを圧縮接続するＴ型端末接続部端子２ａを備え、Ｔ型端末接続部端子２ａが可撓導体３ａとともに接続部を構成している。一方、電力ケーブル接続部４は、可撓電力ケーブル３の他方の可撓導体３ａを圧縮接続する電力ケーブル接続部端子４ａを備え、電力ケーブル接続部端子４ａが他方の可撓導体３ａとともに接続部を構成している。
【００２６】
Ｔ型端末延長アダプタ１である直線接続延長アダプタ１は、Ｔ型端末部５と電力ケーブル端末部６との間を接続して導通状態となるよう可撓電力ケーブル３を延設するに際しては、その可撓電力ケーブル３がケーブルの取り回し（ケーブルの作業性、ケーブルの取扱い性）ができる寸法構造のものであり、ケーブルを取り回しできるよう余長を十分確保した状態で接続されることになる。
【００２７】
また、Ｔ型端末延長アダプタ１（直線接続延長アダプタ１）は、施工効率を良くするためにＴ型端末部（Ｔ型端末アダプタ）５及び電力ケーブル端末部６のいずれか一方、又は両方と一体に成形加工されていることが好適である。
【００２８】
（可撓電力ケーブルの構成）
Ｔ型端末部５と電力ケーブル端末部６との中間部に延設する可撓電力ケーブル３は、図１に示すように、細径の素線からなる可撓導体３ａを有する。その可撓導体３ａは、外径０．５ｍｍ以下程度の素線を一方向に集合撚り、又は複合撚りにて撚り合わせた撚線からなり、圧縮成形を施さない。
【００２９】
この可撓導体３ａの外周には、内部半導電層（内導）３ｂ、絶縁層３ｃ、及び外部半導電層（外導）３ｄが押出成形により被覆される。このように外径０．５ｍｍ以下程度の撚線導体で、非圧縮成形加工としたことにより、ケーブルには十分な可撓性が付与されることになる。導体素線は銅線、銅合金線、アルミニウム線、アルミニウム合金線などの導電材料からなる。また、外導３ｄの外周には、絶縁テープ又は絶縁チューブなどの保護層３ｅが可撓性を有する範囲内の厚さに被覆される。
【００３０】
この内導３ｂ、絶縁層３ｃ、及び外導３ｄは、ＥＰゴム絶縁、又はシリコーンゴムなどの弾性材料からなり、ケーブルに柔軟性を持たせることになる。内導３ｂは、絶縁層３ｃとともに押出成形される。外導３ｄとしては、押出成形以外のテープ巻きやチューブ被覆などにより形成することが可能である。
【００３１】
可撓電力ケーブル３としては、既設電力ケーブル１０１とは異なる構造、構成でもよく、その地中配電線路の仕様により決定され、そのケーブルサイズが適宜選択される。
【００３２】
更に、この可撓電力ケーブル３は、上述したようにケーブルの取り回し（ケーブルの作業性、ケーブルの取扱い性）を考慮してＴ型端末部５と電力ケーブル端末部６との間の長さであるケーブル長よりも長く、即ち余長を十分確保した状態となるように設定することが重要不可欠な構成である。この余長を有する可撓電力ケーブル３の長さは、更新配電機器（多回路開閉器等）の端末位置及びそれらの機器に取り付けられるＴ型端末部５と、電力ケーブル端末部６との相対位置関係で、それらを接続するために最適な長さとなるものを基準に選定する。
【００３３】
また、可撓電力ケーブル３には、Ｔ型端末延長アダプタ１の取付作業前に予め湾曲形状となるように屈曲を施して成形される。湾曲形状とは、束取り形状、スネーク形状、Ｒ形状、円弧形状などの直線形状以外の各種形状である。
【００３４】
このような可撓電力ケーブル３の可撓性、及び余長を持つことにより更新配電機器下のハンドホール内で、例えばＲ形状に変形させることで、更新配電機器の高さに合わせてケーブル余長を吸収することができる。その結果、ハンドホール内に収納でき、かつケーブルの再使用においてケーブルを切断して余長不足が生じたとしても、又は更新配電機器の端末位置を変更した場合でも、その接続部全体の余長不足を補充することができる。
【００３５】
（Ｔ型端末接続部と電力ケーブル接続部の構成）
Ｔ型端末接続部２は、上述したように可撓電力ケーブル３の可撓導体３ａを圧縮接続するＴ型端末接続部端子２ａを備え、Ｔ型端末接続部端子２ａがＴ型端末部５の接続導体（オス端子）５ａと導通状態となるように接続される。
【００３６】
一方、電力ケーブル接続部４は、上述したように可撓電力ケーブル３の他方の可撓導体３ａを圧縮接続する電力ケーブル接続部端子４ａを備え、電力ケーブル接続部端子４ａが電力ケーブル端末部６の電力ケーブル端末部端子６ｈと導通状態となるように接続される。なお、電力ケーブル接続部端子４ａは、オス端子であり、メス端子の電力ケーブル端末部端子６ｈとワンタッチで接続される構造である。
【００３７】
この電力ケーブル接続部４には、防水性と接続部全体の密着性とを向上させるため、可撓電力ケーブル３の端部から既設電力ケーブル１０１のシース端部に跨って、常温収縮性を有する絶縁筒７が形成される。絶縁筒７は、例えばＥＰゴムやシリコーンゴム等の弾性材料からなる。
【００３８】
（Ｔ型端末部（Ｔ型端末アダプタ）の構成）
Ｔ型端末アダプタ５であるＴ型端末部５は、図１に示すように、水平方向に延在する円筒形状の上部絶縁層５ｃ及び垂直方向に延在する円筒形状の下部絶縁層５ｃによりＴ型形状に構成されている。上部絶縁層５ｃの内部には、絶縁栓５ｆが取り付けられている。絶縁栓５ｆの内部には、ボルト、ナット、及び接続金具からなる接続導体（オス端子）５ａがＴ型端末接続部端子２ａと接続した状態で取り付けられ、接続導体（オス端子）５ａの片端側には検電電極５ｇが着脱できるように取り付けられている。
【００３９】
下部絶縁層５ｃには、Ｔ型端末接続部端子２ａと可撓導体３ａとからなるＴ型端末接続部２が接続導体（オス端子）５ａに挿着して接続できるよう内部に空間を設けた内部半導電層５ｂと、下部絶縁層５ｃの外周に設けた外部半導電層５ｄが一体に成形されている。更に、検電電極５ｇの外周には、一端をボルトで外部半導電層５ｄに締め付けられた接地部材５ｈが取り付けられている。
【００４０】
検電電極５ｇを設けた反対側の上部絶縁層５ｃには、接続導体（オス端子）５ａが図示しない配電機器側ブッシングの接続導体（メス端子）と接続して内嵌固定できるよう空間が形成されている。接続導体（オス端子）５ａのナットには、接続金具を挿入する孔が設けられている。
【００４１】
このＴ型端末部５は、Ｔ型端末接続部２とともに第１接続部８を構成し、可撓電力ケーブル３との密着性、防水性などを向上させるために外部半導電層５ｄ、及び保護層３ｅの重なり合う部分にテープ巻きによる保護層５ｅが設けられている。
【００４２】
（電力ケーブル端末部の構成）
電力ケーブル端末部６は、図１に示すように、電力ケーブル絶縁体６ｅに被覆された電力ケーブル導体６ａと絶縁層６ｃとにより直線型形状に構成されている。電力ケーブル導体６ａには、オス端子の電力ケーブル端末部端子６ｈが取り付けられ、メス端子の電力ケーブル接続部端子４ａにワンタッチで接続される。
【００４３】
絶縁層６ｃには、上記の電力ケーブル端末部端子６ｈと電力ケーブル接続部端子４ａとがワンタッチで接続できるよう内部に空間を設けた内部半導電層６ｂと、絶縁層６ｃの外周に設けた外部遮蔽層６ｄが一体に成形されている。外部遮蔽層６ｄには、接地線６ｆが取り付けられている。この電力ケーブル端末部の端部及び既設電力ケーブル１０１のシース上には防水テープのテープ巻きによる保護層６ｇが設けられている。
【００４４】
この電力ケーブル端末部６は、上述したように電力ケーブル接続部４とともに第２接続部９を構成し、その接続部全体の密着性と防水性を向上させるため可撓電力ケーブル３の端部から既設電力ケーブル１０１のシース端部の外周全体に跨って常温収縮性を有する絶縁筒７が形成される。
【００４５】
（Ｔ型端末延長アダプタ１の取付作業）
更新配電機器１０７と既設電力ケーブル１０１との間を接続して導通状態に取り付けるＴ型端末延長アダプタ１の取付作業は、次のような工程により行われる。
【００４６】
第１工程は、図１に示すように、Ｔ型端末接続部２とＴ型端末部５とを接続して第１接続部８を作製する。
【００４７】
第１工程において、初めに、余長を有する可撓電力ケーブル３にＴ型端末接続部２及び電力ケーブル接続部４の２つの接続部を組立て成形加工された直線接続延長アダプタ１（Ｔ型端末延長アダプタ１）のＴ型端末接続部２に、オス端子の接続導体５ａを備えたＴ型端末部５を接続して取り付ける。この接続は、Ｔ型端末部５の接続導体５ａにＴ型端末接続部２のＴ型端末接続部端子２ａを隙間なく当接させて固着する。
【００４８】
次に、Ｔ型端末部５の可撓電力ケーブル３側の外部半導電層５ｄの外周に可撓電力ケーブル３の外部半導電層３ｄ及び保護層３ｅを延設させて重ねた状態に設ける。更に、この重なった部分の最外層となる保護層３ｅとその周辺に絶縁テープをテープ巻き処理してＴ型端末部５の保護層５ｅを一体に成形する。これにより、第１接続部８の作製が終了する。なお、この第１工程は、Ｔ型端末延長アダプタ１の取付作業前に予め実施することで準備しておくことが可能である。
【００４９】
次の第２工程は、図１に示すように、電力ケーブル接続部４と電力ケーブル端末部６とを接続して第２接続部９（直線接続部１０５）を作製する。
【００５０】
Ｔ型端末延長アダプタ１をハンドホール内に収容できるように、例えば可撓電力ケーブル３をＲ形状に予め湾曲形状に屈曲して成形しておく。なお、この第２工程は、Ｔ型端末延長アダプタ１の取付作業前に予め実施することで準備しておくことが可能である。
【００５１】
第２工程においては、既設電力ケーブル１０１に電力ケーブル端末部６を接続して取り付ける。この接続は、電力ケーブル端末部６の電力ケーブル端末部端子６ｈを電力ケーブル接続部４の電力ケーブル接続部端子４ａに挿着させてワンタッチで接続固定する。電力ケーブル接続部端子４ａ及び電力ケーブル端末部端子６ｈの外周を覆うように内部半導電層６ｂ、絶縁層６ｃ、外部遮蔽層６ｄを一体に成形した接続部材が設けられる。
【００５２】
次に、電力ケーブル端末部６の接続部材の端部及び既設電力ケーブル１０１のシース上に絶縁テープのテープ巻き処理をして保護層６ｇを成形する。その後、その保護層６ｇと、電力ケーブル接続部４側の可撓電力ケーブル３の端部と、既設電力ケーブル１０１端部のシースとの外周全部に常温収縮性の絶縁筒７を挿着して取り付ける。
【００５３】
最後に、更新配電機器１０７の図示しない配電機器ブッシングに対して既設電力ケーブル１０１に延長方向と直角な方向に取り付けるようＴ型端末部５のオス端子の接続導体５ａを嵌合させる。これらの工程により、Ｔ型端末延長アダプタ１の更新配電機器１０７と既設電力ケーブル１０１との間が接続され、全ての取付作業が終了して導通状態となる。
【００５４】
（実施の形態の効果）
上記実施の形態によれば、以下の効果を有する。
【００５５】
（１）Ｔ型端末アダプタ５（Ｔ型端末部５）と電力ケーブル端末部６との相対位置関係や使用形態に対応してＴ型端末延長アダプタ１を最適な長さに選定することができ、多数の種類の配電機器に取り付けられて採用される。
（２）Ｔ型端末延長アダプタ１の本体部分は余長を備えた可撓性を有する可撓電力ケーブル３から構成されているので、既設電力ケーブル１０１の立ち上がり位置と更新配電機器１０７に取り付けられるＴ型端末アダプタ５の位置との相対位置関係が端末毎に異なる場合でも、１種類のＴ型端末延長アダプタ１で接続が行えるので、相対位置関係の事前調査が不要であり、また電力ケーブルの製造時における長さの微調整が不要となる。
（３）Ｔ型端末延長アダプタ１の本体部分が余長を備えた可撓性を有する可撓電力ケーブル３から構成され、又は予めＲ形状に湾曲に成形されているので、そのケーブルの取り回し（ケーブルの作業性、ケーブルの取扱い性）が良好となり、施工性の改善が図られ、更に施工場所の省スペース化が図られて経済的効果が得られる。
【００５６】
以上の説明から明らかなように、上記実施の形態及び図示例では、Ｔ型端末延長アダプタの典型的な一例を例示している。従って、本発明は、上記実施の形態及び図示例に限定されるものではなく、その実施の形態及び図示例から当業者が容易に変更可能な技術的範囲をも当然に包含するものである。
【符号の説明】
【００５７】
１…Ｔ型端末延長アダプタ（直線接続延長アダプタ）、２…Ｔ型端末接続部、２ａ…Ｔ型端末接続部端子、３…可撓電力ケーブル、３ａ…可撓導体、３ｂ，５ｂ，６ｂ…内部半導電層、３ｃ…絶縁層、３ｄ，５ｄ…外部半導電層、３ｅ，５ｅ，６ｇ…保護層、４…電力ケーブル接続部、４ａ…電力ケーブル接続部端子、５…Ｔ型端末部（Ｔ型端末アダプタ）、５ａ…接続導体（オス端子）、５ｃ…上部絶縁層（下部絶縁層）、５ｆ…絶縁栓、５ｇ…検電電極、５ｈ…接地部材、６…電力ケーブル端末部、６ａ…電力ケーブル導体、６ｃ…絶縁層、６ｄ…外部遮蔽層、６ｅ…電力ケーブル絶縁体、６ｆ…接地線、６ｈ…電力ケーブル端末部端子、７…絶縁筒、８…第１接続部、９…第２接続部、１０１…既設電力ケーブル、１０２…既設配電機器、１０３…直線型端末、１０４…新規電力ケーブル、１０５…直線接続部、１０６…Ｔ型端末延長アダプタ、１０７…更新配電機器、１０８…ハンドホール
【図１】
2015019490.tif 000003
【図２】
2015019490.tif 000004
【図３】
2015019490.tif 000005